(57)【要約】【課題】表示中のデータの用例を表示する。【解決手段】携帯電話機１が、任意のデータの用例を取得するための辞書サーバ２を識別するための宛先情報をデータとともに表示し、利用者が宛先情報を選択したと判別した場合、宛先情報が示す辞書サーバ２へデータを送信し、辞書サーバ２が、携帯電話機１から送信されてきたデータに基づいて、データの用例を検索し、検索された用例を携帯電話機１へ送信し、携帯電話機１が、辞書サーバ２から送信されてきた用例を表示する。【選択図】図１
2009151451.tif 000002
【特許請求の範囲】
【請求項１】
任意のデータを表示する表示部と、
ネットワークを介して外部とデータを送受信する通信部と、
前記任意のデータの用例を取得するための宛先情報を、該データとともに前記表示部に表示させ、利用者が前記宛先情報を選択したと判別した場合、該宛先情報が示す宛先へ前記データを前記通信部に送信させ、前記通信部にて前記用例を受信した場合、該用例を前記表示部に表示させる制御部とを有する携帯端末。
【請求項２】
前記制御部は、
当該携帯端末に入力された文字によって構成される文字列のうちから単語を検出する単語検出部と、
前記単語検出部で検出された単語を、該単語に対応する変換候補に置換する変換候補置換部と、
前記変換候補置換部で置換された変換候補を示すデータを、前記表示部に表示させる変換候補表示制御部と、
前記表示部に表示されている前記データが有する意味を前記表示部に表示させる意味表示制御部と、
前記表示部に表示されている前記データの用例の格納先を示す宛先情報を前記表示部に表示させる宛先情報表示制御部と、
利用者が前記宛先情報を選択したか否かを判別する宛先情報選択判別部と、
前記宛先情報選択判別部が選択したと判別した場合に、前記通信部に、前記表示部に表示されているデータの用例を、前記宛先情報が示す宛先から取得させる用例取得制御部と、
前記通信部で取得した用例を前記表示部に表示させる用例表示制御部とを有することを特徴とする請求項１に記載の携帯端末。
【請求項３】
前記変換候補表示制御部によって意味が表示中の変換候補と、該変換候補の用例の格納先の宛先を示す宛先情報と、を対応付けた用例格納先情報を記憶する記憶部を有し、
前記通信部は、前記用例格納先情報のうちの宛先情報が示す宛先から、前記変換候補の用例を取得することを特徴とする請求項２に記載の携帯端末。
【請求項４】
前記記憶部は、前記通信部によって外部から予め取得した用例を記憶し、
前記用例表示制御部は、前記記憶部に記憶されている用例を読み出して、該読み出された用例を前記表示部に表示させることを特徴とする請求項３に記載の携帯端末。
【請求項５】
前記制御部は、前記表示部に表示されている変換候補のうちから利用者が選択中の変換候補を認識する変換候補選択部を有し、
前記用例表示制御部は、前記変換候補選択部で認識されている変換候補が有する用例を前記表示部に表示させることを特徴とする請求項２に記載の携帯端末。
【請求項６】
前記用例取得制御部が、前記通信部に外部から取得させる用例が、前記変換候補表示制御部によって表示中であるデータを用いた慣用句であることを特徴とする請求項２に記載の携帯端末。
【請求項７】
前記用例取得制御部が、前記通信部に外部から取得させる用例が、前記変換候補表示制御部によって表示中であるデータの用法であることを特徴とする請求項２に記載の携帯端末。
【請求項８】
ネットワークを介して外部とデータを送受信する通信部と、
前記データと該データの用例とを対応付けた用例辞書を記憶する記憶部と、
前記通信部にて受信したデータの用例を前記用例辞書から読み出し、前記読み出した用例を、前記通信部から該通信部で受信したデータの送信元に送信させる制御部とを有する辞書サーバ。
【請求項９】
前記制御部は、
外部から変換候補の用例を示すデータを送信する旨の要求を受け付ける要求受付部と、
前記要求受付部で受け付けた要求に応答して、前記用例辞書に登録されている単語のうちに前記要求受付部で受け付けた変換候補が登録されているか否かを判別する登録有無判別部と、
前記登録有無判別部で単語が登録されていると判別したときに、判別した単語に対応する用例を前記用例辞書から読み出し、該読み出した用例を、前記通信部に前記ネットワークを介して要求元に送信させる用例送信制御部とを有することを特徴とする請求項８に記載の辞書サーバ。
【請求項１０】
前記制御部は、前記登録有無判別部で登録されていないと判別したときに、前記要求受付部で受け付けた要求の要求元に、要求された変換候補の用例が登録されていない旨を前記通信部に通知させる通知制御部をさらに有することを特徴とする請求項９に記載の辞書サーバ。
【請求項１１】
携帯端末と、該携帯端末に接続された辞書サーバとから構成される用例検索システムにおいて、
前記携帯端末は、
任意のデータを表示する表示部と、
ネットワークを介して外部とデータを送受信する第１の通信部と、
前記任意のデータの用例を取得するための前記辞書サーバを識別するための宛先情報を、該データとともに前記表示部に表示させ、利用者が前記宛先情報を選択したと判別した場合、該宛先情報が示す辞書サーバへ前記データを前記第１の通信部に送信させ、前記第１の通信部にて前記用例を受信した場合、該用例を前記表示部に表示させる第１の制御部とを有し、
前記辞書サーバは、
ネットワークを介して外部とデータを送受信する第２の通信部と、
前記データと該データの用例とを対応付けた用例辞書を記憶する記憶部と、
前記携帯端末から送信されてきたデータの用例を前記用例辞書から読み出し、前記読み出した用例を、前記第２の通信部から前記携帯端末へ前記第２の通信部に送信させる第２の制御部とを有することを特徴とする用例検索システム。
【請求項１２】
携帯端末と、該携帯端末に接続された辞書サーバとから構成される用例検索システムにおける用例検索方法であって、
前記携帯端末が、任意のデータの用例を取得するための辞書サーバを識別するための宛先情報を、該データとともに表示する処理と、
前記携帯端末が、利用者が前記宛先情報を選択したと判別した場合、該宛先情報が示す辞書サーバへ前記データを送信する処理と、
前記辞書サーバが、前記携帯端末から送信されてきたデータと、該データの用例とを対応付けた用例辞書を予め記憶する処理と、
前記辞書サーバが、前記携帯端末から送信されてきたデータに基づいて、該データの用例を前記用例辞書から検索する処理と、
前記辞書サーバが、前記検索された用例を前記用例辞書から読み出し、該読み出した用例を前記携帯端末へ送信する処理と、
前記携帯端末が、前記辞書サーバから送信されてきた用例を表示する処理とを有する用例検索方法。
【請求項１３】
任意のデータの用例を取得するための宛先情報を、該データとともに表示する手順と、
利用者が前記宛先情報を選択したと判別した場合、該宛先情報が示す宛先へ前記データを送信する手順と、
前記宛先から送信されてきた用例を表示する手順とをコンピュータに実行させるプログラム。
【発明の詳細な説明】
【技術分野】
【０００１】
本発明は、携帯端末、辞書サーバ、用例検索システム、用例検索方法およびプログラムに関する。
【背景技術】
【０００２】
文化庁の「国語に関する世論調査」によれば、「慣用句の意味を誤解したり、誤った言葉遣いをしたりする人が多いこと」が報告されている。そのため、日常あまり使用しない漢字に関しては、多くの人がその読み方は理解していてもその意味までを正確に理解しないまま使用していることがうかがえる。
【０００３】
さらにこの調査によれば、「漢字を調べる際に、辞書ではなく携帯電話機などの漢字変換機能を使う人が２０代では８割以上にのぼること」も報告されている。従来、携帯電話機の漢字変換機能では、利用者により入力された「読みがな」に対応する漢字や漢字表記された単語は表示できるが、その漢字（漢字表記の単語）が有する意味は表示されない。そのため、読みがなから変換された漢字の意味を利用者が知らない場合には、利用者が所望する漢字を正確に選択できないおそれがある。
【０００４】
このような問題を回避するために、各種の技術が提案されている。
【０００５】
例えば、変換候補の単語の意味を表示するワードプロセッサが考えられている（例えば、特許文献１参照。）。
【０００６】
また、変換候補の単語の意味を表示する文字変換装置が考えられている（例えば、特許文献２参照。）。この文字変換装置は、変換候補の単語とその単語が有する意味とを対応付けて登録する辞書データベースを自ら保持し、利用者が行う操作に応じて変換候補の単語の意味を辞書データベースから読み出し、表示する。
【０００７】
また、利用者の意図や感情を表現するために、その利用者によってキー入力された漢字の意味に対応付けられたアニメーションを表示するアニメーション選択装置が考えられている（例えば、特許文献３参照。）。
【特許文献１】特開平０５−０１２２６０号公報
【特許文献２】特開２０００−１７２６８３号公報
【特許文献３】特開２００６−１２７３７１号公報
【発明の開示】
【発明が解決しようとする課題】
【０００８】
特許文献１に開示されたワードプロセッサは、変換候補の単語とその単語が有する意味とを同時に画面に表示できる。しかし、このワードプロセッサは、単語を用いた慣用句を表示しない。そのため、利用者は単語の意味を理解した場合でも、用法や慣用句を知ることができないという問題点がある。
【０００９】
また、特許文献２に開示された文字変換装置は、自ら備える記憶部に、変換候補の単語とその単語が有する意味とを対応付けて登録する辞書データベースを格納する。しかし、携帯電話機は小型化が要求されるゆえに搭載されるメモリの記憶容量が制限される。そのため、特許文献１に開示されたワードプロセッサや特許文献２に開示された文字変換装置の構成を、携帯電話機などの携帯端末に単純に適用するのは困難であるという問題点がある。
【００１０】
また、特許文献３に開示されたアニメーション選択装置は、利用者の意図や感情を示すアニメーションは表示できる。しかし、漢字が有する意味のうちには概念を示すものも存在する。従って、特に文書を作成する上では、利用者が作成しようとしている文章中の単語を、すべてアニメーションで表現することは困難であるという問題点がある。また、例えばビジネスにおける情報伝達の際には、利用者の意図や感情をアニメーションで表現することが不適切な場合がある。この場合、特許文献３の手法によりせっかく得られた漢字の意味に対応するアニメーションが活用されないおそれがある。
【００１１】
本発明は、上述した課題を解決するため、小型化や軽量化の要求により記憶容量が制限される携帯端末において、表示中のデータの用例を外部から受信し表示することを目的とする。
【課題を解決するための手段】
【００１２】
上記目的を達成するために、本発明の携帯端末は、任意のデータを表示する表示部と、ネットワークを介して外部とデータを送受信する通信部と、前記任意のデータの用例を取得するための宛先情報を、該データとともに前記表示部に表示させ、利用者が前記宛先情報を選択したと判別した場合、該宛先情報が示す宛先へ前記データを前記通信部に送信させ、前記通信部にて前記用例を受信した場合、該用例を前記表示部に表示させる制御部とを有する。
【００１３】
また、上記目的を達成するために、本発明の辞書サーバは、ネットワークを介して外部とデータを送受信する通信部と、前記データと該データの用例とを対応付けた用例辞書を記憶する記憶部と、前記通信部にて受信したデータの用例を前記用例辞書から読み出し、前記読み出した用例を、前記通信部から該通信部で受信したデータの送信元に送信させる制御部とを有する。
【００１４】
また、携帯端末と、該携帯端末に接続された辞書サーバとから構成される用例検索システムにおいて、前記携帯端末は、任意のデータを表示する表示部と、ネットワークを介して外部とデータを送受信する第１の通信部と、前記任意のデータの用例を取得するための前記辞書サーバを識別するための宛先情報を、該データとともに前記表示部に表示させ、利用者が前記宛先情報を選択したと判別した場合、該宛先情報が示す辞書サーバへ前記データを前記第１の通信部に送信させ、前記第１の通信部にて前記用例を受信した場合、該用例を前記表示部に表示させる第１の制御部とを有し、前記辞書サーバは、ネットワークを介して外部とデータを送受信する第２の通信部と、前記データと該データの用例とを対応付けた用例辞書を記憶する記憶部と、前記携帯端末から送信されてきたデータの用例を前記用例辞書から読み出し、前記読み出した用例を、前記第２の通信部から前記携帯端末へ前記第２の通信部に送信させる第２の制御部とを有することを特徴とする。
【００１５】
また、携帯端末と、該携帯端末に接続された辞書サーバとから構成される用例検索システムにおける用例検索方法であって、前記携帯端末が、任意のデータの用例を取得するための辞書サーバを識別するための宛先情報を、該データとともに表示する処理と、前記携帯端末が、利用者が前記宛先情報を選択したと判別した場合、該宛先情報が示す辞書サーバへ前記データを送信する処理と、前記辞書サーバが、前記携帯端末から送信されてきたデータと、該データの用例とを対応付けた用例辞書を予め記憶する処理と、前記辞書サーバが、前記携帯端末から送信されてきたデータに基づいて、該データの用例を前記用例辞書から検索する処理と、前記辞書サーバが、前記検索された用例を前記用例辞書から読み出し、該読み出した用例を前記携帯端末へ送信する処理と、前記携帯端末が、前記辞書サーバから送信されてきた用例を表示する処理とを有する。
【００１６】
また、コンピュータに実行させるプログラムであって、任意のデータの用例を取得するための宛先情報を、該データとともに表示する手順と、利用者が前記宛先情報を選択したと判別した場合、該宛先情報が示す宛先へ前記データを送信する手順と、前記宛先から送信されてきた用例を表示する手順とをコンピュータに実行させる。
【発明の効果】
【００１７】
本発明によれば、携帯端末が、任意のデータの用例を取得するための辞書サーバを識別するための宛先情報をデータとともに表示し、利用者が宛先情報を選択したと判別した場合、宛先情報が示す辞書サーバへデータを送信し、辞書サーバが、携帯端末から送信されてきたデータに基づいて、データの用例を検索し、検索された用例を携帯端末へ送信し、携帯端末が、辞書サーバから送信されてきた用例を表示する構成としたため、小型化や軽量化の要求により記憶容量が制限される携帯端末においても、表示中のデータの用例を表示できる。
【発明を実施するための最良の形態】
【００１８】
（実施形態１）
以下、本発明の実施形態に従った用例検索システムＤＳ（携帯端末、辞書サーバ、用例検索方法、プログラム、を含む）を説明する。図１に示すように、用例検索システムＤＳは、携帯電話機１と、辞書サーバ２と、ネットワーク３と、から構成される。
【００１９】
携帯電話機１は、表示部４と、入力部５と、マイク６と、スピーカ７と、を備える携帯端末である。入力部５は、外部から情報を入力するための一般的なキーである。表示部４は、各種のデータを表示するものであり、例えば、入力部５を用いて入力された文字を表示する。マイク６は、通話時の音声を入力する。スピーカ７は、通話時の通話先の音声を放音する。なお、表示部４は、タッチパネル機能を有するものであってもよい。その場合、外部から情報を入力するための入力部５の役割も果たす。
【００２０】
辞書サーバ２は、所定の情報処理装置で構成され、携帯電話機１からの要求に応じて、所定のデータを送信する機能を有する。この辞書サーバ２は、利用者に各種サービスを提供するインターネットサービスプロバイダなどにより運営されるものでもよい。ネットワーク３は、例えば、ＬＡＮ（Local Area Network）やＷＡＮ（Wide Area Network）のように、携帯電話機１と辞書サーバ２との間でデータを送受信できるものであればいずれのネットワークでもよい。以下に、ネットワーク３がインターネットである場合を例に挙げて説明する。
【００２１】
つぎに、図１に示した携帯電話機１の構成を説明する。図２に示すように、図１に示した携帯電話機１は、上述した表示部４および入力部５以外に、制御部１１と、記憶部１２と、通信部１３と、音声入力部１４と、音声出力部１５と、バス１６と、を備える。
【００２２】
制御部１１は、携帯電話機１全体を制御する第１の制御部である。なお、制御部１１は、図３に示すように、単語検出部１１１と、変換候補置換部１１２と、変換候補表示制御部１１３と、意味表示制御部１１４と、用例表示制御部１１５と、画面表示制御部１１６と、画面表示制御部１１７と、変換候補選択部１１８と、宛先情報表示制御部１１９と、宛先情報選択判別部１１１０とを有する。
【００２３】
単語検出部１１１は、入力部５を用いて入力された文字で構成される文字列のうちに含まれる単語を検出する。変換候補置換部１１２は、単語検出部１１１で検出された単語に対応する変換候補を記憶部１２に記憶されている単語辞書１２１から読み出し、単語検出部１１１で検出された単語を読み出した変換候補へと置換する。変換候補表示制御部１１３は、変換候補置換部１１２で置換された変換候補を表示部４に表示させる。意味表示制御部１１４は、変換候補表示制御部１１３によって表示部４が表示中の変換候補の単語の意味を表示部４に表示させる。用例取得制御部１１５は、通信部１３を制御し、変換候補表示制御部１１３が表示中の単語の用例を示すデータを辞書サーバ２から取得する。用例表示制御部１１６は、用例取得制御部１１５によって取得された用例を表示部４に表示させる。画面表示制御部１１７は、変換候補表示制御部１１３により表示される変換候補、意味表示制御部１１４により表示される変換候補の単語の意味、用例表示制御部１１６により表示される変換候補の単語の用例、宛先情報表示制御部１１９により表示される辞書サーバ２の宛先などの表示用の所定画面を表示部４に表示させる。変換候補選択部１１８は、変換候補表示制御部１１３によって表示されている変換候補のうちから入力部５を用いてユーザが選択中の変換候補を認識する。宛先情報表示制御部１１９は、用例取得制御部１１５が用例を辞書サーバ２から取得する際の辞書サーバ２の宛先情報を、記憶部１２内の用例格納先情報１２３から読み出し、表示部４に表示させる。宛先情報選択判別部１１１０は、宛先情報表示制御部１１９が表示中である宛先情報の利用者による選択の有無を判別する。
【００２４】
記憶部１２は、例えば、不揮発性メモリなどで構成され、各種のデータやプログラムを記憶する。例えば、電子メール作成用のアプリケーション（図示せず）、「単語辞書１２１」、「意味辞書１２２」、「用例格納先情報１２３」、が記憶される。
【００２５】
図４（ａ）に示すように、「単語辞書１２１」は、単語の読みがなＹ（例えば、ひらがな）と、その読みがなＹに対応する変換候補となる漢字表記の単語（以下、「変換候補Ｃ」という）と、を対応付けて登録された情報である。図４（ｂ）に示すように、「意味辞書１２２」は、変換候補Ｃと、その変換候補Ｃが有する意味Ｍと、を対応付けて登録された情報である。
【００２６】
図４（ｃ）に示すように、「用例格納先情報１２３」は、漢字表記の変換候補Ｃと、その変換候補Ｃの用法が格納されている格納先の宛先を示す宛先情報Ａと、を対応付けて登録された情報である。この宛先情報Ａは、その用例を示すデータを保持している外部のサーバ配下のフォルダであり、例えば、ＵＲＬ（Uniform Resource Locator）である。実施形態１では、辞書サーバ２に付与されているサーバ名が「www.jisyo.com」であり、そのサーバ名に対する宛先を指定するＵＲＬが用例格納先情報１２３に登録済である。なお、各辞書１２１、１２２および用例格納先情報１２３の形式はそれぞれ、データベースでも、フィールド毎に所定の記号で区切られた所定形式に則ったテキストファイルでもよい。
【００２７】
入力部５は、利用者が入力した信号を制御部１１に出力する。通信部１３は、アンテナ（図示せず）を介した無線信号の送受信、無線信号の変復調などを行う第１の通信部である。音声入力部１４は、図１に示したマイク６により取得した音の振動の強弱に応じた電気信号の生成およびＡＤ（Analogue to Digital）変換を行い、制御部１１に出力する。音声出力部１５は、通信部１３で受信した通話先の音声信号にＤＡ（Digital to Analogue）変換を施し、図１に示したスピーカ７で放音する。バス１６は、上述した構成要素を互いに接続する。
【００２８】
つぎに辞書サーバ２の構成を説明する。図５に示すように、辞書サーバ２は、制御部２１と、記憶部２２と、通信部２３と、から構成される。制御部２１は、辞書サーバ２全体を制御する第２の制御部である。また、制御部２１は、要求受付部２１１と、登録有無判別部２１２と、用例送信制御部２１３と、通知制御部２１４と、から構成される。
【００２９】
要求受付部２１１は、変換候補の用例を示すデータを携帯電話機１に送信する旨の要求を、携帯電話機１から受け付ける。登録有無判別部２１２は、記憶部２２内に記憶されている用例辞書２２１に、要求受付部２１１が受け付けた要求の対象である変換候補の用例が登録されているか否かを判別する。用例送信制御部２１３は、登録有無判別部２１２で用例が登録されていると判別されたときに、通信部２３を制御し、その用例を示すデータを携帯電話機１に送信させる。通知制御部２１４は、登録有無判別部２１２で用例が登録されていないと判別されたときに、通信部２３を制御し、その旨を示すメッセージを携帯電話機１に送信させる。
【００３０】
記憶部２２は、各種のデータを記憶する。例えば、記憶部２２には「用例辞書２２１」が記憶される。図６に示すように、「用例辞書２２１」は、漢字表記の変換候補Ｃと、その変換候補Ｃの用例E（例えば、変換候補Ｃの用法や変換候補Ｃを用いた慣用句など）と、を対応付けて登録された情報である。
【００３１】
通信部２３は、ネットワーク３を介して携帯電話機１と通信するためのインターフェース機能を有する第２の通信部である。例えば、携帯電話機１からの用例表示要求を受信し、その要求に応じた用例を示すデータを携帯電話機１に送信する。また、携帯電話機１から要求された単語の用例が用例辞書２２１に登録されていなければ、その旨を通知する。バス２４は、上述した構成要素を互いに接続する。
【００３２】
次に、携帯電話機１において文書作成時に表示される文字入力画面３００について説明する。携帯電話機１では、任意の文字が入力可能であるが、以下では電子メール作成時における文字入力を例に挙げ、この文字入力画面３００を説明する。
【００３３】
図７に示すように、図１に示した表示部４に表示された電子メール作成用アプリケーション起動後の文字入力前の文字入力画面３００は、メール本文入力画面３０１と、文字編集画面３０２と、から構成される。メール本文入力画面３０１は、電子メールの作成時に入力部５を用いて利用者によって入力されたメールの全文を表示する画面である。
【００３４】
文字編集画面３０２は、入力部５を用いて入力された利用者による編集中の文字列を表示する画面である。この文字編集画面３０２に表示中の文字列は、利用者により確定される前の文字列であり、入力部５を用いて文字の追加や削除が可能である。なお、文字編集画面３０２に表示中の変換候補を利用者が確定すると、文字編集画面３０２におけるその変換候補の表示が終了する。変換候補の確定方法は、一般的なものと同じである。そして、メール本文入力画面３０１に表示されているメール本文に、確定後の変換候補が追加して表示される。
【００３５】
続いて、利用者の操作により入力された文字の漢字変換時に、変換候補の単語が有する意味を表示している状態の文字入力画面３００について説明する。図８に示すように、この文字入力画面３００は、上述したメール本文入力画面３０１や文字編集画面３０２の他、さらに、変換候補表示画面３０３と、意味表示画面３０４と、用例表示用リンク３０５と、を含んでいる。
【００３６】
変換候補表示画面３０３は、利用者が編集中の文字列（文字編集画面３０２に表示中の文字列）の変換候補となる単語を表示するための画面である。文字編集画面３０２に表示中の文字列のうちに変換候補に対応する単語（読みがな）が含まれていれば、単語検出部１１１は、文字編集画面３０２に表示中の文字列のうちから単語辞書１２１に登録されている単語（読みがなＹ）を検出する。変換候補置換部１１２は、検出された読みがなＹに対応する変換候補Ｃを読み出し、表示部４に表示させる。検出された単語（読みがな）に対応する変換候補（漢字表記）が複数あれば、それらすべての変換候補が読み出され表示される。なお、変換候補表示画面３０３の画面形態は任意である。例えば、図８に例示するプルダウン形式の画面でもよく、漢字変換するときの変換候補表示用に一般に用いられるポップアップ画面でもよい。
【００３７】
意味表示画面３０４は、変換候補の単語が有する意味を表示するための画面である。なお、意味表示画面３０４には、変換候補表示画面３０３に表示中の変換候補（漢字表記）のうちから変換候補選択部１１８によって識別された利用者が選択中の変換候補に関して、その変換候補の意味が意味表示制御部１１４によって意味辞書１２２から読み出され、表示される。
【００３８】
用例表示用リンク３０５は、意味表示画面３０４に表示中である変換候補の用例を通知するよう辞書サーバ２に直接要求するためのリンクである。この用例表示用リンク３０５は、例えば、ＵＲＬ（Uniform Resource Locator）であり、携帯電話機１の利用者が文字編集中に変換候補の用例を知りたいときに選択すると、宛先情報選択判別部１１１０が選択されたと判別し、当該ＵＲＬへ接続するためのものである。この用例表示用リンク３０５には、宛先情報表示制御部１１９が用例格納先情報１２３から読み出した宛先情報が表示される。
【００３９】
さらに、文書作成の際、変換候補の単語に関する「用例」を表示するために図１に示した表示部４に表示された用例表示画面４００について説明する。用例表示画面４００は、用例表示用リンク３０５が選択されることにより、辞書サーバ２から送信されてきた用例が表示されるものである。図９に示すように、この「用例表示画面４００」は、意味表示画面４０１と、用例詳細表示画面４０２と、復帰用ソフトキー４０３と、から構成される。意味表示画面４０１の機能は、図８の意味表示画面３０４と同一である。また、用例詳細表示画面４０２は、図８の意味表示画面３０４において意味が表示中である変換候補の用例に関して、詳細な説明文が表示される画面である。復帰用ソフトキー４０３（「戻る」）は、用例表示画面４００の表示を終了させ、図８の文字入力画面３００に復帰するよう指示するためのキーである。
【００４０】
つぎに上記構成を有する携帯電話機１の動作を説明する。この携帯電話機１の通信動作は、一般的な携帯電話機と同一である。そのため、以下では本発明に特徴的な、漢字変換の際に変換候補の単語の意味とともにその用法を表示する動作を説明する。なお、説明の前提として、電子メールの新規作成を行うために電子メール作成用アプリケーションの起動が完了し、図８の文字入力画面３００が表示されているものとする。
【００４１】
図１０に示すように、制御部１１は、入力部５を用いて文字が入力された否かを判別する（ステップＳ１１）。入力されていないと判別した場合（ステップＳ１１；Ｎｏ）、制御部１１は、文字が入力されるまで待機する。一方、文字が入力されたと判別した場合（ステップＳ１１；Ｙｅｓ）、制御部１１は、表示部４を制御し、その文字を文字編集画面３０２に表示させる。
【００４２】
表示後、制御部１１は、入力された文字列が漢字に変換されたか否かを判別する（ステップＳ１２）。変換されていないと判別した場合（ステップＳ１２；Ｎｏ）、文字編集画面３０２内の文字列が確定されたか否かを判別するために、後述するステップＳ１７の処理を行う。
【００４３】
一方、入力された文字列が漢字に変換されたと判別した場合（ステップＳ１２；Ｙｅｓ）、単語検出部１１は、その文字列のうちに変換候補となる単語が含まれているか否かを判別する。含まれていると判別した場合、変換候補置換部１１２による変換候補（漢字表記）への置換後、変換候補表示制御部１１３がそのすべての変換候補を変換候補表示画面３０３に表示させる。続いて、制御部１１は、表示された変換候補のうちで利用者により選択されている変換候補の単語を認識する。その後、意味辞書１２２から利用者が選択中の変換候補に対応する意味を読み出し、意味表示画面３０４に表示させる（ステップＳ１３）。
【００４４】
さらに、宛先情報選択判別部１１１０は、宛先情報表示制御部１１９により用例表示用リンク３０５に示されたＵＲＬ（図８の例では「http://www.jisyo.com」）が選択されたか否かを判別することで、変換候補の単語の用例の表示が要求されたか否かを判別する（ステップS１４）。要求されていないと判別した場合（ステップＳ１４；Ｎｏ）、現在選択されている変換候補の確定の有無を判別するため、後述するステップＳ１７の処理を行う。
【００４５】
一方、用例などの表示が要求されたと判別した場合（ステップＳ１４；Ｙｅｓ）、用例取得制御部１１５は、通信部１３を制御し、現在選択されている変換候補の情報とともに辞書サーバ２に用例の表示を要求する表示要求信号を、ネットワーク３を介して送信させる。ここで、表示要求信号の形式については限定しない。
【００４６】
この信号の受信側である辞書サーバ２では、要求受付部２１１による要求の受付後、登録有無判別部２１２が、要求された変換候補の用例が記憶部２２内の用例辞書２２１に登録されているか否かを判別する。登録されていると判別した場合、用例送信制御部２１３は、用例辞書２２１から変換候補に対応する用例のデータを読み出し、読み出したデータを通信部２３から携帯電話機１に送信させる。なお、登録有無判別部２１２による判別の結果、用例辞書２２１に携帯電話機１から要求された単語の用例が登録されていないと判別された場合、通知制御部２１４は、通信部２３を制御し、その旨を示すメッセージを携帯電話機１に通知させる。
【００４７】
辞書サーバ１から用例を示すデータを受信した場合、携帯電話機１側では、画面表示制御部１１７は図９の用例表示画面４００を表示部４に表示させ、用例表示制御部１１６はその画面中に辞書サーバ２から受信したデータが示す「変換候補の用例」を表示する（ステップＳ１５）。図９の例では、変換候補の単語（「今日」）を用いた慣用句（「今日あって明日ない身」）が表示される。
【００４８】
その後、用例表示の終了要求があるか否かを制御部１１が判別する（ステップＳ１６）。用例表示の終了要求がないと判別した場合（ステップＳ１６；Ｎｏ）、表示部４は用例の表示を続行する。用例表示の終了要求があると判別した場合（ステップＳ１６；Ｙｅｓ）、ステップＳ１２の処理を行う。
【００４９】
続いて、制御部１１は、変換候補が確定されたか否かを判別する（ステップＳ１７）。確定されていないと判別した場合（ステップＳ１７；Ｎｏ）、ステップＳ１２の処理を行う。一方、確定されたと判別した場合（ステップＳ１７；Ｙｅｓ）、文字編集画面３０２に表示中である変換候補の表示を終了させる（ステップＳ１８）。そして、表示部４は、メール本文入力画面３０１に表示されているメール本文に、確定後の変換候補の単語を追加して表示する（ステップS１９）。以上で、処理が終了する。
（実施形態２）
前述した実施形態１では、変換候補の用例を、辞書サーバ２からネットワーク３を介して取得した。しかし、この手法では、例えば、ネットワーク３において回線障害や輻輳が生じているときには、変換候補の用例を取得できない。
【００５０】
この問題を回避するためには、辞書サーバ２からの取得を既に完了した用例を示すデータを携帯電話機が自ら保持し、その用例を表示すればよい。以下、このような動作を行う実施形態２の携帯電話機１を説明する。
【００５１】
実施形態２の用例検索システムＤＳの全体構成は、図１で示した例と同一である。また、実施形態２の携帯電話機１の回路構成は、図２で示した例と基本的に同一である。ただし、この携帯電話機１では、変換候補の用例を記憶するための「用例記憶用メモリ」をその記憶部１２に有している。
【００５２】
また、実施形態２の携帯電話機１によって表示される文字入力画面３００は、図８で示した例と基本的に同一である。ただし実施形態２においては、図１１に示すように、図８の用例表示用リンク３０５に代えて「用例表示用ソフトキー３０６」（「用例表示」）が設けられている。この「用例表示用ソフトキー３０６」は、辞書サーバ２からあらかじめ取得した用法・慣用句を記憶部１２内の用例記憶用メモリから読出し、表示するためのキーである。なお、実施形態２における用例表示画面４００は、実施形態１において図９で示した例と同一である。
【００５３】
以下、上記構成を有する実施形態２の携帯電話機１の動作を説明する。この携帯電話機１が、変換候補の意味とともにその変換候補の用例を表示させる処理は、実施形態１において図１０で示したフローと基本的に同一である。ただし実施形態２では、図１０のステップS１１〜Ｓ１３の処理の実行後、利用者により用例表示用ソフトキー３０６が押下されたときに、用例取得制御部１１５は用例表示の要求があったものと判別し（ステップＳ１４；Ｙｅｓ）、記憶部１２中の用例表示用メモリのうちから辞書サーバ２から予め取得済の用例を示すデータを読み出し、表示部４に表示させる。
【００５４】
また、それ以降の各処理（図１０で示したステップＳ１５〜Ｓ１９の処理）は、実施形態２においても同一である。すなわち、復帰用ソフトキー４０３（「戻る」）の選択により用例の表示終了が要求され、かつ、変換候補が利用者によって確定されると、変換候補表示制御１１３は文字編集画面３０２における未確定の文字の表示を終了し、メール本文に追加して表示させる。
【００５５】
以上説明したように、実施形態１によれば、携帯電話機１は、変換候補のうちから利用者が選択中である変換候補の意味を表示するとともに、利用者の指示に応じてその変換候補の用例を外部の辞書サーバ２から取得し、表示させる。
【００５６】
これにより、携帯電話機に対する小型化や軽量化などの要求を満たしつつ、携帯電話機１が自ら保持しない単語の用例（例えば、用法や慣用句）に関する情報を利用者に提供可能となる。
【００５７】
実施形態２によれば、辞書サーバ２から取得を完了した用例を示すデータを携帯電話機１において保持し、そのデータの内容を表示させる。これにより、ネットワーク３において輻輳などが発生している場合でも、利用者の操作に応じて用例を表示でき、さらに、用例を示すデータの送受に係るネットワーク３の通信負荷を低減できる。
（変形例）
なお、本発明の要旨を逸脱しない範囲で各種の変形が可能である。
【００５８】
各実施形態１、２において、用例の表示に関連する各種処理の実行を指示するためのキーは、用例表示用リンク３０５、用例表示用ソフトキー３０６、復帰用ソフトキー４０３、のようにソフトキーで構成するに限らず、入力部５のいずれかの所定キーに直接割り当てる構成にしてもよい。これにより、変換候補の用例を表示させる操作が入力部５のうちの所定キーを１回押下するだけで完了するため、利用者の利便性が向上する。
【００５９】
実施形態２の携帯電話機１では、用例を示すデータのデータ量が記憶部１２中の用例記憶用メモリの記憶容量よりも小さいか否かを判別し、小さいと判別したときに記憶するようにしてもよい。これにより、用例記憶用メモリの記憶容量が十分でないときに、用例のデータの一部だけが格納されることを回避できる。また、用例記憶用メモリに記憶された用例を、その用例に対応する単語の使用頻度に応じて削除し、記憶容量を好適に確保するようにしてもよい。
【００６０】
意味や用例の表示対象となる単語は、文字の音を表す表音文字で構成されるひらがな表記から文字の意味を表す表意文字である漢字表記に変換された単語に限られない。例えば、英語やドイツ語などのように表音文字のみで単語が構成される言語では漢字変換は不要なため、単語辞書１２１を参照することなく、入力部５から入力された単語の意味や用例を表示すればよい。このことは、中国語のように表意文字のみで単語が構成される言語にも同様に適用可能である。
【００６１】
例えば、英語であれば、図１２（ａ）に示すように、入力部５から入力された文字列に含まれる英単語を制御部１１が検出したときに、意味辞書１２２からその英単語の意味を読み出し、表示させてもよい。「英単語の意味」を示す説明文は、入力された単語を含む言語（この例では英語）に限らず、日本語など英語以外の所定の言語で示してもよい。また、図１２（ｂ）に示すように、意味が表示中である英単語の慣用句を利用者が知りたい場合、実施形態１と実質的に同一の操作を行うことで表示させればよい。
【００６２】
なお、本発明においては、携帯電話機１内の処理は上述の専用のハードウェアにより実現されるもの以外に、その機能を実現するためのプログラムを携帯電話機１にて読取可能な記録媒体に記録し、この記録媒体に記録されたプログラムを携帯電話機１に読み込ませ、実行するものであってもよい。携帯電話機１にて読取可能な記録媒体とは、フロッピーディスク（登録商標）、光磁気ディスク、ＤＶＤ、ＣＤなどの移設可能な記録媒体の他、携帯電話機１に内蔵されたＨＤＤ等を指す。この記録媒体に記録されたプログラムは、例えば、携帯電話機１が有する制御部１１にて読み込まれ、制御部１１の制御によって、上述したものと同様の処理が行われる。
【００６３】
ここで、携帯電話機１が有する制御部１１は、プログラムが記録された記録媒体から読み込まれたプログラムを実行するコンピュータとして動作するものである。なお、上述したプログラムは、辞書サーバ２についても同様に適用可能である。
【００６４】
また、本発明の携帯端末の制御部は、携帯端末に入力された文字によって構成される文字列のうちから単語を検出する単語検出部と、単語検出部で検出された単語を、単語に対応する変換候補に置換する変換候補置換部と、変換候補置換部で置換された変換候補を示すデータを、表示部に表示させる変換候補表示制御部と、表示部に表示されているデータが有する意味を表示部に表示させる意味表示制御部と、表示部に表示されているデータの用例の格納先を示す宛先情報を表示部に表示させる宛先情報表示制御部と、利用者が宛先情報を選択したか否かを判別する宛先情報選択判別部と、宛先情報選択判別部が選択したと判別した場合に、通信部に、表示部に表示されているデータの用例を、宛先情報が示す宛先から取得させる用例取得制御部と、通信部で取得した用例を表示部に表示させる用例表示制御部とを有してもよい。
【００６５】
また、本発明の携帯端末は、変換候補表示制御部によって意味が表示中の変換候補と、変換候補の用例の格納先の宛先を示す宛先情報と、を対応付けた用例格納先情報を記憶する記憶部を有し、通信部は、用例格納先情報のうちの宛先情報が示す宛先から、前記変換候補の用例を取得してもよい。
【００６６】
また、本発明の携帯端末の記憶部は、通信部によって外部から予め取得した用例を記憶し、用例表示制御部は、記憶部に記憶されている用例を読み出して、読み出された用例を表示部に表示してもよい。
【００６７】
また、本発明の携帯端末の制御部は、表示部に表示されている変換候補のうちから利用者が選択中の変換候補を認識する変換候補選択部を有し、用例表示制御部は、変換候補選択部で認識されている変換候補が有する用例を表示部に表示してもよい。
【００６８】
また、本発明の携帯端末は、用例取得制御部が、通信部に外部から取得させる用例が、変換候補表示制御部によって表示中であるデータを用いた慣用句であってもよい。
【００６９】
また、本発明の携帯端末は、用例取得制御部が、通信部に外部から取得させる用例が、変換候補表示制御部によって表示中であるデータの用法であってもよい。
【００７０】
また、本発明の辞書サーバの制御部は、外部から変換候補の用例を示すデータを送信する旨の要求を受け付ける要求受付部と、要求受付部で受け付けた要求に応答して、用例辞書に登録されている単語のうちに要求受付部で受け付けた変換候補が登録されているか否かを判別する登録有無判別部と、登録有無判別部で単語が登録されていると判別したときに、判別した単語に対応する用例を用例辞書から読み出し、読み出した用例を、通信部にネットワークを介して要求元に送信させる用例送信制御部とを有してもよい。
【００７１】
また、本発明の辞書サーバの制御部は、登録有無判別部で登録されていないと判別したときに、要求受付部で受け付けた要求の要求元に、要求された変換候補の用例が登録されていない旨を通信部に通知させる通知制御部をさらに有してもよい。
【図面の簡単な説明】
【００７２】
【図１】本発明の実施形態１に従った用例検索システムの全体構成を示す図である。
【図２】図１に示した携帯電話機の構成を示す図である。
【図３】図２に示した携帯電話機の制御部の構成を示す図である。
【図４】（ａ）は、図２に示した単語辞書のデータ構造の一例を示す図である。（ｂ）は、図２に示した意味辞書のデータ構造の一例を示す図である。（ｃ）は、図２に示した用例格納先情報のデータ構造の一例を示す図である。
【図５】図１に示した辞書サーバの構成を示す図である。
【図６】図５に示した用例辞書のデータ構造の一例を示す図である。
【図７】文字が入力されていない状態における文字入力画面の一例を示す図である。
【図８】実施形態１において、漢字変換の際、変換候補の単語の意味を表示しているときの文字入力画面の一例を示す図である。
【図９】用法や慣用句を表示しているときの用例表示画面の一例を示す図である。
【図１０】実施形態１の携帯電話機における漢字変換の際に、変換候補の用例を表示させる処理を示すフローチャートである。
【図１１】実施形態２において、漢字変換の際、変換候補の単語の意味を表示しているときの文字入力画面の一例を示す図である。
【図１２】（ａ）は、本発明の実施形態の変形例における、英単語の意味を表示中の文字入力画面の一例を示す図である。（ｂ）は、英単語の用例を表示中の用例表示画面の一例を示す図である。
【符号の説明】
【００７３】
１  携帯電話機
２  辞書サーバ
３  ネットワーク
４  表示部
５  入力部
６  マイク
７  スピーカ
１１  制御部
１２  記憶部
１３  通信部
１４  音声入力部
１５  音声出力部
１６  バス
１１１  単語検出部
１１２  変換候補置換部
１１３  変換候補表示制御部
１１４  意味表示制御部
１１５  用例取得制御部
１１６  用例表示制御部
１１７  画面表示制御部
１１８  変換候補選択部
１１９  宛先情報表示制御部
１１１０  宛先情報選択判別部
１２１  単語辞書
１２２  意味辞書
１２３  用例格納先情報
２１  制御部
２２  記憶部
２３  通信部
２１１  要求受付部
２１２  登録有無判別部
２１３  用例送信制御部
２１４  通知制御部
２２１  用例辞書
３００  文字入力画面
３０１  メール本文入力画面
３０２  文字編集画面
３０３  変換候補表示画面
３０４  意味表示画面
３０５  用例表示用リンク
３０６  用例表示用ソフトキー
４００  用例表示画面
４０１  意味表示画面
４０２  用例詳細表示画面
４０３  復帰用ソフトキー
【図１】
2009151451.tif 000003
【図２】
2009151451.tif 000004
【図３】
2009151451.tif 000005
【図４】
2009151451.tif 000006
【図５】
2009151451.tif 000007
【図６】
2009151451.tif 000008
【図７】
2009151451.tif 000009
【図８】
2009151451.tif 000010
【図９】
2009151451.tif 000011
【図１０】
2009151451.tif 000012
【図１１】
2009151451.tif 000013
【図１２】
2009151451.tif 000014